(57)【要約】【課題】原稿（カラー画像データ）の読み取りを行なう際に、ＲＧＢ各色の光の消灯時間による読み取り情報の欠落を防止または緩和する画像読取装置を提供する。【解決手段】原稿Ｐから読み取る画像情報を補正するための白基準部材２８と、白基準部材２８及び原稿ＰにＲ、Ｇ、Ｂの光を独立に制御して順次照射可能な光源部１４０と、光源部１４０からの照射光の照射によって白基準部材で反射される反射光Ｒｗに基づく基準情報、及び光源部１４０からの照射光の照射によって原稿Ｐで反射される反射光Ｒｐに基づく画像情報を読み取る読取素子１４２と、原稿Ｐの画像情報を読み取る際に、基準情報に基づいて光源部１４０のＲ、Ｇ、Ｂの光を点灯時間および点灯タイミングを制御して光源部１４０を駆動する駆動パルスを生成する制御部としてのデータ比較部１７と、を備えた構成とする。【選択図】図１
2011023956.tif 000002
【特許請求の範囲】
【請求項１】
原稿から読み取る画像情報を補正するための白基準部と、
前記白基準部及び前記原稿にＲ、Ｇ、Ｂの光を独立に制御して順次照射可能な光源部と、
前記光源部からの照射光の照射によって前記白基準部で反射される第１反射光に基づく基準情報、及び前記光源部からの照射光の照射によって前記原稿で反射される第２反射光に基づく前記画像情報を読み取る読取素子部と、
前記原稿の画像情報を読み取る際に、前記基準情報に基づいて前記光源部のＲ、Ｇ、Ｂの光を点灯時間および点灯タイミングを制御して前記光源部を駆動する駆動パルスを生成する制御部と、
を備えた画像読取装置。
【請求項２】
前記制御部は、前記原稿の走査方向の画素の１／３ピッチずつずらして駆動する前記光源部のＲ、Ｇ、Ｂの前記駆動パルスの中心が一致する矩形パルスを生成することを特徴とする請求項１に記載の画像読取装置。
【請求項３】
前記制御部は、前記原稿の走査方向の画素の１／３ピッチずつずらして駆動する前記光源部のＲ、Ｇ、Ｂの前記駆動パルスの中心が一致する台形パルスを生成することを特徴とする請求項１に記載の画像読取装置。
【請求項４】
前記制御部は、前記原稿の走査方向の画素の１／３ピッチずつずらして駆動する前記光源部のＲ、Ｇ、Ｂの前記駆動パルスが複数のパルス列からなり、パルス幅変調（ＰＷＭ）されたパルスを生成することを特徴とする請求項１に記載の画像読取装置。
【請求項５】
前記制御部は、前記原稿の走査方向の画素の１／３ピッチずつずらして駆動する前記光源部のＲ、Ｇ、Ｂの前記複数の駆動パルス列が、前記それぞれの１／３ピッチ内でデューティ変調されたパルス列を生成することを特徴とする請求項１に記載の画像読取装置。
【発明の詳細な説明】
【技術分野】
【０００１】
本発明は、画像読取装置に関する。
【背景技術】
【０００２】
従来の画像読取装置として、１ライン周期内に、同一の点灯時間で、順番に１回ずつ連続して点灯するＲＧＢ各色にそれぞれ対応する光源と、各光源の点灯時に読み取りを行うイメージセンサと、原稿の印字面に対応した複数の基準ＲＧＢ画素データを生成するＲＧＢ画素データ生成手段と、イメージセンサと原稿とを相対移動させることで、イメージセンサによる原稿の副走査方向の読み取りを行わせる相対移動手段とを備えたものがある（特許文献１）。
【０００３】
このように構成された画像読取装置による原稿（画像データ）の読み取りは、光源部からＲＧＢ各色の光を順次原稿に照射し、その反射光を読み取ることにより行われる。
【０００４】
原稿読み取り前に、光源からのＲＧＢ各色の光を白基準部材に照射してそれぞれの反射光の信号レベルを測定して各色基準データを取得し、この色基準データに基づいて色毎の補正を行ないながら原稿（画像データ）の読み取りを行なう必要がある。
【先行技術文献】
【特許文献】
【０００５】
【特許文献１】特開２００９−００５３０９号公報
【発明の概要】
【発明が解決しようとする課題】
【０００６】
本発明の目的は、原稿（カラー画像データ）の読み取りを行なう際に、ＲＧＢ各色の光の消灯時間による読み取り情報の欠落を防止または緩和する画像読取装置を提供することにある。
【課題を解決するための手段】
【０００７】
本発明の一態様は、上記目的を達成するために、以下の画像読取装置を提供する。
【０００８】
［１］原稿から読み取る画像情報を補正するための白基準部と、前記白基準部及び前記原稿にＲ、Ｇ、Ｂの光を独立に制御して順次照射可能な光源部と、前記光源部からの照射光の照射によって前記白基準部で反射される第１反射光に基づく基準情報、及び前記光源部からの照射光の照射によって前記原稿で反射される第２反射光に基づく前記画像情報を読み取る読取素子部と、前記原稿の画像情報を読み取る際に、前記基準情報に基づいて前記光源部のＲ、Ｇ、Ｂの光を点灯時間および点灯タイミングを制御して前記光源部を駆動する駆動パルスを生成する制御部と、を備えた画像読取装置。
【０００９】
［２］前記制御部は、前記原稿の走査方向の画素の１／３ピッチずつずらして駆動する前記光源部のＲ、Ｇ、Ｂの前記駆動パルスの中心が一致する矩形パルスを生成することを特徴とする前記［１］に記載の画像読取装置。
【００１０】
［３］前記制御部は、前記原稿の走査方向の画素の１／３ピッチずつずらして駆動する前記光源部のＲ、Ｇ、Ｂの前記駆動パルスの中心が一致する台形パルスを生成することを特徴とする前記［１］に記載の画像読取装置。
【００１１】
［４］前記制御部は、前記原稿の走査方向の画素の１／３ピッチずつずらして駆動する前記光源部のＲ、Ｇ、Ｂの前記駆動パルスが複数のパルス列からなり、パルス幅変調（ＰＷＭ）されたパルスを生成することを特徴とする前記［１］に記載の画像読取装置。
【００１２】
［５］前記制御部は、前記原稿の走査方向の画素の１／３ピッチずつずらして駆動する前記光源部のＲ、Ｇ、Ｂの前記複数の駆動パルス列が、前記それぞれの１／３ピッチ内でデューティ変調されたパルス列を生成することを特徴とする前記［１］に記載の画像読取装置。
【発明の効果】
【００１３】
請求項１記載の発明によれば、原稿（カラー画像データ）の読み取りを行なう際に、ＲＧＢ各色の光の消灯時間による読み取り情報の欠落を防止または緩和し、原稿色を正確に再現する画像読取装置を提供することができる。
請求項２記載の発明によれば、Ｒ、Ｇ、Ｂの各読み取り位置の中心位置を一致させ、各色の光量分布は各色の次の１ピッチでの光量分布とすそ野で重なり合って読み取り情報の欠落を防止または緩和することが出来る。
請求項３記載の発明によれば、台形パルスとするのでパルス幅を広くでき情報の欠落防止効果に優れる。
請求項４記載の発明によれば、パルス幅変調とするので光量分布が略一定とでき、情報の欠落防止効果に優れる。
請求項５記載の発明によれば、一部のパルス列においてデューティを変更するので光量分布が略一定とでき、情報の欠落防止効果に優れる。
【図面の簡単な説明】
【００１４】
【図１】図１は、本発明の第１〜３の実施の形態に係る画像読取装置の画像読取部が白基準読取位置に配置された状態を示すブロック図である。
【図２】図２は、本発明の第１〜３の実施の形態に係る画像読取装置の画像読取部が原稿読取位置に配置された状態を示すブロック図である。
【図３】図３（ａ）、（ｂ）は、本発明の第１の実施の形態に係る画像読取装置の動作を説明するために示す波形図である。
【図４】図４は、本発明の第１の実施の形態に係る画像読取装置の動作を説明するために示す概念図である。
【図５】図５は、本発明の第１の実施の形態に係る画像読取装置の動作を説明するために示す概念図である。
【図６】図６（ａ）、（ｂ）は、本発明の第２の実施の形態に係る画像読取装置の動作を説明するために示す波形図である。
【図７】図７は、本発明の第２の実施の形態に係る画像読取装置の動作を説明するために示す概念図である。
【図８】図８（ａ）、（ｂ）は、本発明の第３の実施の形態に係る画像読取装置の動作を説明するために示す波形図である。
【図９】図９は、本発明の第３の実施の形態に係る画像読取装置の動作を説明するために示す概念図である。
【図１０】図１０は、本発明の第１〜３の実施の形態に係る画像読取装置の動作を説明するために示すタイミングチャートである。
【発明を実施するための形態】
【００１５】
［第１の実施の形態］
先ず、本発明の第１の実施の形態に係る画像読取装置につき、図１及び図２を用いて説明する。図１及び図２は、本発明の第１の実施の形態に係る画像読取装置の概略の構成を示すブロック図であり、図１は、画像読取部が白基準読取位置に配置された状態を示し、図２は、画像読取部が原稿読取位置に配置された状態を示す。
【００１６】
この画像読取装置１０は、スキャナ等からなり、図１及び図２に示すように本体部１１及び蓋部１２から大略構成されている。
【００１７】
（本体部１１の構成）
本体部１１は、原稿Ｐを載せる原稿配置面１３を有するとともに、画像読取部１４、Ａ／Ｄ変換部１５、データ格納部１６、データ比較部１７、点灯駆動部１８、及び信号処理部１９等を内蔵し、全体が箱体によって形成されている。
【００１８】
画像読取部１４は、１対の光源（光源部）１４０，結像レンズ１４１，および読取素子（読取素子部）１４２を有し、原稿配置面１３の下方に配置され、かつ第１キャリッジ（図示せず）に搭載されている。第１キャリッジは、画像読取部１４を白基準読取位置と原稿読取位置との間で副走査方向ａに移動するように構成されている。
【００１９】
１対の光源１４０は、例えば、ＲＧＢ３色の発光ダイオード（Light Emitting Diode：ＬＥＤ）素子１４０Ｒ、１４０Ｇ、１４０Ｂを内蔵し、それぞれのＲＧＢ素子が独立して発光制御できる。また、導光部材１４０ｂを有し、結像レンズ１４１の両側に主走査方向（副走査方向ａに直交する方向）に沿って配置されている。
【００２０】
そして、１対の光源１４０は、それぞれがＬＥＤ素子１４０Ｒ、Ｇ、Ｂの光を導光部材１４０ｂの一方側端面に入射させ、導光部材１４０ｂの外周部から原稿配置面１３上の原稿Ｐ及び白基準部材２８に光を照射するように構成されている。
【００２１】
導光部材１４０ｂは、全体が例えばＰＭＭＡ（ポリメタクリル酸メチル）樹脂によって形成され、その他方側端面を含む一部がランプケース（図示せず）によって覆われている。
【００２２】
結像レンズ１４１は、例えば主走査方向に並列する複数のセルフォックレンズ（登録商標）によって形成されたロッドレンズアレイからなり、読取素子１４２の上方に配置されている。結像レンズ１４１は、図１に示すように、光源１４０からの照射光Ｌの照射によって蓋部１２内の後述する白基準部材（白基準部）２８で反射された反射光ＲＷ（第１反射光）を読取素子１４２に結像するように構成されている。また、結像レンズ１４１は、図２に示すように、光源１４０からの照射光Ｌの照射によって原稿配置面１３上の原稿Ｐで反射された反射光ＲＰ（第２反射光）を読取素子１４２に結像するように構成されている。
【００２３】
読取素子１４２は、白基準部材２８の基準情報（基準データ）を白基準読取用の反射光ＲＷとして、また原稿Ｐの画像情報（画像データ）を原稿読取用の反射光ＲＰとしてそれぞれ読み取る、例えば、ＣＣＤ（Charge Coupled Device）イメージセンサを用いることができる。なお、ＣＣＤイメージセンサは、列方向に複数の画素を有するチップを列方向に複数個配列したものを用いてもよい。また、読取素子１４２として、ＣＭＯＳイメージセンサ等の他のセンサを用いてもよい。
【００２４】
そして、読取素子１４２は、白基準部材２８の基準データを読み取る場合に反射光ＲＷを入射させて電気信号に光電変換し、この電気信号をＡ／Ｄ変換部１５に出力するように構成されている。また、読取素子１４２は、原稿Ｐの画像データを読み取る場合に反射光ＲＰを入射させて電気信号に光電変換し、この電気信号を信号処理部１９に出力するように構成されている。
【００２５】
Ａ／Ｄ変換部１５は、読取素子１４２からのアナログ信号をデジタル信号に変換する変換回路である。
【００２６】
データ格納部１６は、ＲＡＭ、ＲＯＭ等の半導体メモリから構成され、Ａ／Ｄ変換部１５から各色基準データが入力されて格納（記憶）されると共に、光源１４０の点灯制御において点灯時間（駆動パルス幅）および点灯タイミング（点灯時間）等の算出のために適宜参照される。
【００２７】
データ比較部１７は、データ格納部１６に格納されたＲＧＢ各色の色基準データに基づいて、この各色の色基準データと原稿読み取り時の読取素子１４２からの出力を比較して、これに基づいて波形処理を行なう回路により構成される。すなわち、各ＬＥＤ素子１４０Ｒ、Ｇ、Ｂの点灯時間および点灯タイミングを調整し、光源１４０の駆動制御を行なうもので、基準情報である色基準データに基づいて光源部のＲ、Ｇ、Ｂの光を点灯時間および点灯タイミングを制御して光源１４０を駆動する駆動パルスを生成する制御部として機能する。具体的には、比較部、パルス幅調整部、パルスタイミング調整部、デューティ調整部、波形成形部等から構成されている。
【００２８】
点灯駆動部１８は、データ比較部１７からの入力信号に基づいて、光源１４０の各ＬＥＤ素子１４０Ｒ、Ｇ、Ｂを所定のタイミングで点灯駆動するためのＬＥＤ駆動回路である。
【００２９】
信号処理部１９は、読取素子１４２からの信号が入力され、画像データを処理して画像信号として出力する。
【００３０】
（蓋部１２の構成）
一方、蓋部１２は、給紙トレイ２２，原稿分離ロール２３，原稿搬送ロール２４，読取ロール２５，排出ロール２６，排出トレイ２７，白基準部材２８を有し、本体部１１の上方に配置されている。
【００３１】
原稿分離ロール２３，原稿搬送ロール２４，読取ロール２５及び排出ロール２６は、原稿Ｐを給紙トレイ２２から原稿読取位置（読取ロール２５の位置）まで、及び原稿Ｐを原稿読取位置から排出トレイ２７まで搬送する原稿搬送手段を構成する。
【００３２】
白基準部材（白基準部）２８は、画像読取部１４の読取素子１４２による読取データのうち原稿Ｐの画像データの信号レベルを補正するための基準データとなり、プラテンガラス１３の上方に配置されている。
【００３３】
（画像読取装置１０の動作）
図３（ａ）は、データ比較部１７で生成される駆動パルスであり、上から、ＬＥＤ素子１４０Ｒの駆動パルス、ＬＥＤ素子１４０Ｇの駆動パルス、ＬＥＤ素子１４０Ｂの駆動パルス、読取クロック信号ＳＰを示す。それぞれの駆動パルスは、原稿の搬送方向の画素の１／３ピッチずつ順次ずれた読取クロック信号ＳＰに同期して矩形パルスとして生成される。
【００３４】
読取クロック信号ＳＰは、所定周波数のクロック信号であり、３パルスで１画素（カラー）の読み取りを行なう。
【００３５】
図３（ｂ）は、上記示したＬＥＤ素子１４０Ｒ、ＬＥＤ素子１４０Ｇ、ＬＥＤ素子１４０Ｂの各駆動パルスを、順次１／３ピッチずつずらして原稿の搬送方向の位置補正を行ない、各色を同一場所に示した図である。本実施の形態では、各パルスの立ち上りではなく、各パルスの中心が一致するように形成されている。
【００３６】
ここで、高画質な白を得るために、補正後の読み取り画像情報に彩度が発生しないようＴｒ、Ｔｇ、Ｔｂを調整するため、本実施の形態ではＴｒ＞Ｔｇ＞Ｔｂとして説明する。ＬＥＤ素子１４０Ｒの駆動パルス幅をＴｒ、ＬＥＤ素子１４０Ｇの駆動パルス幅をＴｇ、ＬＥＤ素子１４０Ｂの駆動パルス幅をＴｂとし、ＬＥＤ素子１４０Ｒの駆動パルスの中心位置を基準位置からＴｃとする。尚、ＬＥＤ素子１４０Ｒの駆動パルス幅Ｔｒは、線順次方式により原稿を読み取った場合にＲ情報の欠落がないパルス幅に調整されている。
【００３７】
このとき、時間方向の基準を各読取クロック信号ＳＰ（図では、立下り部）とすれば、ＬＥＤ素子１４０Ｇの駆動パルスは、ｔｄｇ（＝Ｔｃ−Ｔｇ／２）だけ基準位置から遅延したパルスとして生成され、また、ＬＥＤ素子１４０Ｂの駆動パルスは、ｔｄｂ（＝Ｔｃ−Ｔｂ／２）だけ基準位置から遅延したパルスとして生成されている。
【００３８】
また、Ｒ信号の読取クロック信号ＳＰ（図では、立下り部）を基準にすれば、図３（ａ）に示すように、ＬＥＤ素子１４０Ｒの駆動パルスの中心位置はＴｒ／２ピッチだけ遅延し、ＬＥＤ素子１４０Ｇの駆動パルスの中心位置は（１／３＋Ｔｒ／２）ピッチだけ遅延し、また、ＬＥＤ素子１４０Ｂの駆動パルスの中心位置は（２／３＋Ｔｒ／２）ピッチだけ遅延している。
【００３９】
図４（ａ）は、Ｒ、Ｇ、Ｂの各信号による実際の読み取り位置（実読み取り位置）を示す図であり、図４（ｂ）は、これを１／３ピッチずつずらして表示した補正読み取り位置を示す図である。図４（ｂ）によれば、上記説明したように各読み取り位置の中心位置を一致させても、Ｇ、Ｂの各信号において消灯された部分が存在するので読取り時に情報の欠落が生じそうである。しかし、本発明は、特に、各読み取り位置の中心位置を一致させている特長によりつぎのような効果を生じる。
【００４０】
図５は、原稿（用紙）を搬送しながらＲ、Ｇ、Ｂ情報を１／３ピッチずつずらしながら順次読み取る場合の、下から各Ｒ、Ｇ、Ｂの光量分布を示す図である。光量分布は中心部が大きく周辺に従って小さいので、用紙搬送しながらの流し読みを行なう場合には、各色の光量分布は略台形の形状となっている。従って、各色の光量分布は、各色の次の１ピッチでの光量分布とすそ野で重なり合うので、実際の画像読み取り動作では情報の欠落が生じない。
【００４１】
（本発明の第１の実施の形態の効果）
高画質な白を得るためには、補正後の読み取り画像情報に彩度が発生しないようＴｒ、Ｔｇ、Ｔｂを調整するため、ほとんどＴｒ＝Ｔｇ＝Ｔｂとはならない。したがって、各Ｒ、Ｇ、Ｂ駆動パルスの立上りを読取クロック信号ＳＰでトリガして生成し、この各Ｒ、Ｇ、Ｂ駆動パルスに基づいてＲ、Ｇ、Ｂの各読取り動作を行なうと、読取り位置がずれてしまうため、読み取るべき画像情報が欠落する可能性がある。
【００４２】
本発明の第１の実施の形態によれば、特にＲ、Ｇ、Ｂの各読み取り位置の中心位置を一致させる構成としているので、各色の光量分布は各色の次の１ピッチでの光量分布とすそ野で重なり合って実際の画像読み取り動作では情報の欠落が生じない。これにより、原稿（カラー画像データ）の読み取りを行なう際に、ＲＧＢ各色の光の消灯時間による読み取り情報の欠落を防止または緩和し、原稿色を正確に再現することが出来る。
【００４３】
［第２の実施の形態］
第２の実施の形態は、第１の実施の形態において、データ比較部１７の制御部で生成される駆動パルスが台形パルスであり、他の構成は第１の実施の形態と同様である。
【００４４】
図６（ａ）は、データ比較部１７で生成される駆動パルスであり、上から、ＬＥＤ素子１４０Ｒの駆動パルス、ＬＥＤ素子１４０Ｇの駆動パルス、ＬＥＤ素子１４０Ｂの駆動パルス、読取クロック信号ＳＰを示す。それぞれの駆動パルスは、原稿の搬送方向の画素の１／３ピッチずつ順次ずれた読取クロック信号ＳＰに同期して台形パルスとして生成される。
【００４５】
図６（ｂ）は、上記示したＬＥＤ素子１４０Ｒ、ＬＥＤ素子１４０Ｇ、ＬＥＤ素子１４０Ｂの各駆動パルスを、順次１／３ピッチずつずらして原稿の搬送方向の位置補正を行ない各色を同一場所に示した図である。本実施の形態では、各パルスの立ち上りではなく、各パルスの中心が一致するように形成されている。
【００４６】
ここで、第１の実施の形態では、矩形パルスの幅を調整することにより各色信号のレベル調整を行なって白レベルを維持したが、第２の実施の形態では、台形パルスにしている。図７（ａ）は、Ｒ、Ｇ、Ｂの各信号による実際の読取り位置（実読取り位置）を示す図であり、図７（ｂ）は、これを１／３ピッチずつずらして表示した補正読取り位置を示す図である。図７（ｂ）によれば、各Ｒ、Ｇ、Ｂの各信号のパルス幅を略同一にできるので、情報の欠落が生じにくい。すなわち、第１の実施の形態の効果に加えて、同じ面積、すなわち同じ光量でもパルス幅を広くできるので、情報の欠落防止効果がさらに優れる。
【００４７】
また、台形パルスは、立上り、立下りは抵抗によるディレイにて回路構成が可能であり、立上げに時間をかけるので消費電力の低減が可能という効果も有する。
【００４８】
［第３の実施の形態］
第３の実施の形態は、第１の実施の形態において、データ比較部１７の制御部で生成される駆動パルスが複数のパルス列でパルス幅変調（ＰＷＭ）されたパルスであり、他の構成は第１の実施の形態と同様である。
【００４９】
図８（ａ）は、データ比較部１７で生成される駆動パルスであり、上から、ＬＥＤ素子１４０Ｒの駆動パルス、ＬＥＤ素子１４０Ｇの駆動パルス、ＬＥＤ素子１４０Ｂの駆動パルス、読取クロック信号ＳＰを示す。それぞれの駆動パルスは、原稿の搬送方向の画素の１／３ピッチずつ順次ずれた読取クロック信号ＳＰに同期してパルス幅変調されたパルスとして生成される。各Ｒ、Ｇ、Ｂの各信号パルス数は、第１の実施の形態で示した図３（ｂ）の各パルスが形成する面積に略一致するようパルス列として生成される。
【００５０】
図８（ｂ）の上段のパルス列はＬＥＤ素子１４０Ｒの駆動パルスであって一定幅のパルス列として生成されている。また、下段のパルス列は、一部のパルス列においてデューティを変更したものである。いずれの駆動パルスも、積分された結果の光量は図８（ａ）のＲ信号による光量に相当するものである。
【００５１】
図９（ａ）は、Ｒ、Ｇ、Ｂの各信号による実際の読取り位置（実読取り位置）を示す図であり、図９（ｂ）は、これを１／３ピッチずつずらして表示した補正読取り位置を示す図である。図９（ｂ）によれば、各Ｒ、Ｇ、Ｂの各信号のパルス列の印加時間を例えばＴｒと略同一にできるので、情報の欠落が生じにくい。すなわち、第１の実施の形態の効果に加えて、同じ面積、すなわち同じ光量でもパルス列の印加時間を略一定にできるので、情報の欠落防止効果にさらに優れる。また、パルス列によるので光量分布が略一定となるので、第２の実施の形態よりもさらに情報の欠落防止効果に優れる。
【００５２】
次に、図１０のフローチャートに従い、画像読取装置の動作を説明する。
【００５３】
画像読取装置１０が動作スタートすると、まず、白基準調整を行うための基準データの取得および格納動作を行なう。画像読取部１４が図１に示す位置に移動されて、白基準板を読み取り部に対向させる（Ｓ１）。光源１４０の発光ダイオード素子１４０Ｒが発光されてＲ色パルス点灯が行なわれる（Ｓ２）。このＲ色パルス点灯の白基準部材２８からの反射光を読取素子１４２で受光してＡ／Ｄ変換部１５を介してデータ格納部１６にＲ色の読み取りデータが格納される（Ｓ３）。この後、順次同様にしてＧ色、Ｂ色の読み取りデータが格納される（Ｓ４〜Ｓ７）。
【００５４】
データ格納部１６のＲ色、Ｇ色、Ｂ色の色基準データに基づいて、データ比較部１７において各色点灯時間を計算し（Ｓ８）、色ごとのパルス時間、波形を決定する（Ｓ９）。このステップでは、第１〜３の実施の形態で示した各色の駆動パルスの中心位置が補正読取り位置で一致したパルスとして生成され、具体的には、矩形パルス、台形パルス、パルス幅変調（ＰＷＭ）されたパルスである。
【００５５】
画像読取部１４が図２に示す原稿読取り位置に移動されて、原稿Ｐがプラテンガラス１３上を搬送されて原稿搬送開始される（Ｓ１０）。波形データに基づきＲ色パルス点灯が行なわれ（Ｓ１１）、Ｒ色データが取得されて信号処理部１９に転送される（Ｓ１２）。この後、順次同様にしてＧ色、Ｂ色のデータが取得されて信号処理部１９に転送される（Ｓ１３〜Ｓ１６）。
【００５６】
原稿Ｐの後端が図示省略するセンサ上を通過したかどうかを判断し、通過していない場合にはＳ１１に戻り、通過した場合にはセンサ電源ＯＦＦにより一連の画像読取動作が終了する（Ｓ１７、Ｓ１８）。
【００５７】
本発明は、上記の各実施の形態に限られず、趣旨を逸脱しない範囲で適宜変更が可能である。例えば、上記説明では、ＲＧＢ３色で説明したが、他の色、例えばＹＭＣの３色であってもよい。また、上記の各実施の形態ではスキャナに適用する場合について説明したが、本発明はこれに限定されず、複写機、プリンタ又はファクシミリに適用しても勿論よく、複写機、プリンタ，スキャナ及びファクシミリ等のうち少なくも２つを組み合わせてなる複合機に適用してもよい。
【符号の説明】
【００５８】
１０…画像読取装置、１１…本体部、１２…蓋部、１３…原稿配置面、１４…画像読取部、１４０…光源、１４０ａ…ＬＥＤ素子、１４０ｂ…導光部材、１４１…結像レンズ、１４２…読取素子、１５…Ａ／Ｄ変換部、１６…データ格納部、１７…データ比較部、１８…点灯駆動部、１９…信号処理部、２２…給紙トレイ、２３…原稿分離ロール、２４…原稿搬送ロール、２５…読取ロール、２６…排出ロール、２７…排出トレイ、２８…白基準部材、Ｐ…原稿、Ｌ…照射光、ＲＷ、ＲＰ…反射光
【図１】
2011023956.tif 000003
【図２】
2011023956.tif 000004
【図３】
2011023956.tif 000005
【図４】
2011023956.tif 000006
【図５】
2011023956.tif 000007
【図６】
2011023956.tif 000008
【図８】
2011023956.tif 000009
【図９】
2011023956.tif 000010
【図１０】
2011023956.tif 000011
【図７】
2011023956.tif 000012